(57)【要約】【課題】  同軸ケーブルの外部導体をグランドパターン部に容易に半田付けすることが可能なアンテナ装置を提供すること。【解決手段】  所定の周波数帯の電波を送受信可能なアンテナ装置１０は、中心導体２２と外部導体２１とを持つ同軸ケーブル２０と、アンテナ素子３０とを有する。アンテナ素子３０は、アンテナパターン部３２とグランド部３４とを有する。同軸ケーブル２０の中心導体２２はアンテナパターン部３２の第１の半田付け部分３２４で半田５１付けされ、同軸ケーブル２０の外部導体２１はグランドパターン部３４の第２の半田付け部分３４４で半田５２付けされている。グランドパターン部３４は、第２の半田付け部分３４４の近傍に、当該第２の半田付け部分３４４を規定するグランドパターン開口部３４ａを有する。第２の半田付け部分は、第１の半田付け部分とグランドパターン開口部との間に挟まれている。【選択図】      図１
2011019178.tif 000002
【特許請求の範囲】
【請求項１】
所定の周波数帯の電波を送受信可能なアンテナ装置であって、中心導体と外部導体とを持つ同軸ケーブルと、アンテナ素子とを有するアンテナ装置に於いて、
前記アンテナ素子は、アンテナパターン部とグランドパターン部とを有し、
前記同軸ケーブルの中心導体は前記アンテナパターン部の第１の半田付け部分で半田付けされて電気的に接続され、
前記同軸ケーブルの外部導体は前記グランドパターン部の第２の半田付け部分で半田付けされて電気的に接続され、
前記グランドパターン部は、前記第２の半田付け部分の近傍に、当該第２の半田付け部分を規定するグランドパターン開口部を有し、前記第２の半田付け部分は、前記第１の半田付け部分と前記グランドパターン開口部との間に挟まれていることを特徴とする、アンテナ装置。
【請求項２】
前記同軸ケーブルは、前記グランドパターン部上で、前記アンテナパターン部の長手方向と直交する方向で、かつ前記グランドパターン部の一辺に沿って平行に延在する請求項１に記載のアンテナ装置。
【請求項３】
前記所定の周波数帯が、２．４ＧＨｚ帯の周波数である、請求項１又は２に記載のアンテナ装置。
【請求項４】
前記アンテナパターン部は逆Ｆアンテナからなり、
前記第１の半田付け部分としての前記逆Ｆアンテナの給電部に、前記同軸ケーブルの前記中心導体が接続されている、
請求項１乃至３のいずれか１つに記載のアンテナ装置。
【請求項５】
前記アンテナパターン部と前記グランドパターン部とは、基板の主面上に形成されている、請求項１乃至４のいずれか１つに記載のアンテナ装置。
【請求項６】
前記アンテナパターン部と前記グランドパターン部とは、前記基板の主面上に形成された導体箔から成る、請求項５に記載のアンテナ装置。
【請求項７】
前記導体箔は銅箔から成る、請求項６に記載のアンテナ装置。
【請求項８】
前記アンテナ素子は金属板から構成されている、請求項１乃至４のいずれか１つに記載のアンテナ装置。
【請求項９】
前記金属板がりん青銅から成る、請求項８に記載のアンテナ装置。
【請求項１０】
前記グランドパターン開口部は、前記同軸ケーブルの長手方向と直交する方向に長い矩形をしている、請求項１乃至９のいずれか１つに記載のアンテナ装置。
【請求項１１】
前記第２の半田付け部分の幅は、前記同軸ケーブルの露出している前記外部導体の長さに実質的に等しい、請求項１０に記載のアンテナ装置。
【請求項１２】
前記グランドパターン開口部の幅は、前記第２の半田付け部分の幅より小さく０．２ｍｍ以上の範囲にある、請求項１０又は１１に記載のアンテナ装置。
【請求項１３】
前記グランドパターン開口部の長さは、３．４ｍｍ以上５．４ｍｍ以下の範囲にある、請求項１０乃至１２のいずれか１つに記載のアンテナ装置。
【発明の詳細な説明】
【技術分野】
【０００１】
本発明は、アンテナ装置に関し、特に、無線ＬＡＮ（Local Area Network）の周波数帯で使用されるアンテナ装置に関する。
【背景技術】
【０００２】
この技術分野において周知のように、無線ＬＡＮとは、電波や赤外線など、有線ケーブル以外の伝送路を利用したＬＡＮをいう。
【０００３】
無線ＬＡＮの標準化については、米ＩＥＥＥ（米国電気電子技術者協会）の８０２．１１委員会で策定されている。すなわち、このＩＥＥＥ８０２．１１委員会では、無線ＬＡＮの標準の規格、仕様を策定している。
【０００４】
例えば、ＩＥＥＥ  ８０２．１１ａは、ＩＥＥＥ  ８０２．１１委員会が策定した５ＧＨｚ帯高速無線ＬＡＮ・無線アクセスの規格である。通信速度（転送速度）は２０Ｍ〜５０Ｍビット／秒程度である。ＭＡＣ（媒体アクセス制御）としてはＣＳＭＡ／ＣＤ（carrier sense multiple access with collision detection）が採用されている。物理層の変調方式はＯＦＤＭ（直交周波数分割多重）である。
【０００５】
一方、ＩＥＥＥ  ８０２．１１ｂは、ＩＥＥＥ  ８０２．１１委員会が１９９９年９月に標準化した無線ＬＡＮの仕様である。ＩＥＥＥ  ８０２．１１ｂでは、２．４ＧＨｚ帯の周波数を使い、変調方式には直接拡散（ＤＳ）を使う。伝送速度（転送速度）は１１Ｍビット／秒と５．５Ｍビット／秒とがある。
【０００６】
更に、ＩＥＥＥ  ８０２．１１ｇは、ＩＥＥＥ  ８０２．１１委員会が２００３年６月に策定した、無線ＬＡＮの標準規格の一つで、２．４ＧＨｚ帯で約５４Ｍビット／秒の通信を行う仕様である。変調方式にはＯＦＤＭが採用されている。したがって、ＩＥＥＥ  ８０２．１１ｇは、ＩＥＥＥ  ８０２．１１ｂと同じ２．４ＧＨｚ帯の周波数を利用し、ＩＥＥＥ  ８０２．１１ｂの約５倍にあたる５４Ｍビット／秒の転送速度をサポートする。同じく５４Ｍビット／秒の転送速度をサポートするＩＥＥＥ  ８０２．１１ａと異なり、ＩＥＥＥ  ８０２．１１ｇはＩＥＥＥ  ８０２．１１ｂとの互換性もある。なお、５４Ｍビット／秒という最高転送速度はＩＥＥＥ  ８０２．１１ａとまったく同じになっているが、２．４ＧＨｚ帯は無線ＬＡＮ以外の機器でも多数使用されている「混雑した」周波数帯となっているため、ＩＥＥＥ  ８０２．１１ｇでは実際の転送速度はＩＥＥＥ  ８０２．１１ａよりも遅くなるといわれている。
【０００７】
前述したように、ＩＥＥＥ  ８０２．１１ｂとＩＥＥＥ  ８０２．１１ｇとでは使用周波数帯が同じ（２．４ＧＨｚ帯）なので、ここでは、両方を合わせて、ＩＥＥＥ  ８０２．１１ｂ／ｇと総称することにする。
【０００８】
このような無線ＬＡＮの周波数帯で使用されるアンテナ装置は、従来から種々知られている。
【０００９】
例えば、特許文献１は、小型化及び実装が容易な平面偏波アンテナを開示している。特許文献１に開示された平面偏波アンテナは、平板絶縁基板と、この平板絶縁基板上に設けられる導電体部とを備える。導電体部は、給電点を有する逆Ｆアンテナ部と、グランド面部とを備える。同軸ケーブルの芯線（中心導体）は、逆Ｆアンテナ部の給電点に接続され、同軸ケーブルのアース線（外部導体）は、グランド面部に接続されている。
【００１０】
また、特許文献２は、安定した通信が確保でき、スペース効率に優れた平面アンテナを開示している。特許文献２に開示された平面アンテナは、絶縁性基材上にエレメント、グランド板および短絡部を配設し、絶縁性基材の他方の面に形成されたストリップラインを介し給電している。ストリップラインは開始点と終点とを持つ。ストリップラインの開始点は、絶縁性基材に設けられた一方のスルーホールを形成し、ストリップラインの終点は、絶縁性基材に設けられた別のスルーホールを形成している。給電用同軸ケーブルの内部導体はストリップラインの開始点に接続され、エレメントの給電点はストリップラインの終点に接続されている。尚、給電用同軸ケーブルの外部導体は、グランド板のアースポイントと接続されている。
【００１１】
上述した特許文献１及び２に開示されたアンテナ装置は、いずれも、基板上にアンテナパターンが形成されているので、「基板アンテナ」と呼ばれる。
【００１２】
一方、特許文献３は、広帯域および高利得のアンテナを開示している。特許文献３に開示されたアンテナは、少なくとも１つの折れ曲がり部を設けたアンテナエレメントと、このアンテナエレメントの一端が接続されるグランド部と、折れ曲がり部からこの折れ曲がり部の内角を分割する方向に形成した給電部と、この給電部に接続される給電線路とを有する。給電部には、給電線路である同軸ケーブルの内導体が接続されている。同軸ケーブルの外導体は、グランド部に接続されている。アンテナを製造する場合、例えばりん青銅等の平板を用いてプレス加工を行い、アンテナエレメントとグランド部およびアンテナエレメントの折れ曲がり部に給電部を設けた導体平板を形成する。このような導体平板を用いたアンテナは、「板金アンテナ」と呼ばれる。
【００１３】
また、特許文献４は、アンテナと通信ケーブルとをハンダ付け等により接続する際、送受信周波数のずれを防止することができ、接続作業性を向上させた、「アンテナと通信ケーブルの接続構造」を開示している。特許文献４において、アンテナは、金属部材からなるアンテナエレメントと、このアンテナエレメントの表面上の少なくとも一部に備えられた絶縁層とからなる。絶縁層に２つの窓穴が形成されている。これら窓穴を介して、アンテナエレメントと通信ケーブルの導体部分とが接続されている。アンテナエレメントは、放射導体部、接地導体部、短絡導体部、および給電路から構成されている。接地導体部は矩形をしている。通信ケーブルは、内部導体と外部導体とを有する。第１の窓穴を介して接地導体部と外部導体とがハンダを用いて接続され、第２の窓穴を介して給電路と内部導体とがハンダを用いて接続されている。通信ケーブルは、アンテナエレメントの長手方向と平行に延在している。
【００１４】
特許文献５は、小型、軽量で、しかも同調周波数帯域が広い多周波アンテナを開示している。特許文献５に開示された多周波アンテナは、Ｘ軸方向に延在するアンテナ素子と、このアンテナ素子と短絡ラインを介して導通接続されたグランド板と、アンテナ素子の長手方向と平行に延在し、かつ、アンテナ素子とグランド板との間に配置された同軸ケーブルとを備える。アンテナ素子の給電点から給電ラインが延在している。グランド板は、アンテナ素子側へ突出する突出片を持つ。同軸ケーブルの中心導体は給電ラインに接続され、同軸ケーブルの外部導体は突出片に接続されている。
【先行技術文献】
【特許文献】
【００１５】
【特許文献１】特開２００８−１８７６３１号公報
【特許文献２】特開２００５−１３６７８４号公報
【特許文献３】特開２００７−１５９０６４号公報
【特許文献４】特開２００４−１７３１４３号公報
【特許文献５】特開２００５−１４２７３９号公報
【発明の概要】
【発明が解決しようとする課題】
【００１６】
上述したような平面アンテナにおいては、同軸ケーブルの外部導体をグランド板（グランドパターン部）に半田付けで接続する必要がある。そのような半田付けは、以下のようにして行われる。半田ごてを使用してグランド板（グランドパターン部）の特定の箇所（すなわち、半田付けが為される箇所）に熱を加えて、当該特定の箇所の温度をはんだ付け温度以上に上昇させ、これにより半田を融かして、同軸ケーブルの外部導体とグランド板（グランドパターン部）とを接続する。すなわち、半田付けが為される箇所（特定の箇所）を、ハンダ付け温度以上に加熱する必要がある。
【００１７】
上述した特許文献１〜５では、それぞれ、次に述べるような問題がある。
【００１８】
特許文献１に開示された平面偏波アンテナでは、グランド面部が矩形をしているので、半田ごての熱が上記特定の箇所からグランド面部の周囲へ逃げて（拡散して）しまう。その結果、上記特定の箇所の温度を、半田付け温度以上にできなかったり、半田付け温度以上にするのに時間がかかってしまう。すなわち、半田付けが困難であるという問題がある。
【００１９】
特許文献２に開示された平面アンテナにおいても、グランド板が矩形をしているので、半田ごての熱がアースポイント（特定の箇所）からグランド板の周囲へ（拡散して）しまう。その結果、上記アースポイント（特定の箇所）の温度を、半田付け温度以上にできなかったり、半田付け温度以上にするのに時間がかかってしまう。すなわち、半田付けが困難であるという問題がある。
【００２０】
特許文献３に開示されたアンテナでも、グランド部が矩形をしているので、半田ごての熱が上記特定の箇所からグランド部の周囲へ逃げて（拡散して）しまう。その結果、上記特定の箇所の温度を、半田付け温度以上にできなかったり、半田付け温度以上にするのに時間がかかってしまう。すなわち、半田付けが困難であるという問題がある。
【００２１】
特許文献４に開示されたアンテナでは、絶縁層に穿設された第１の窓穴を介して、アンテナエレメントの接地導体部と通信ケーブルの外部導体とがハンダを用いて接続されている。このような構成では、半田ごての熱を接地導体部へ伝達させることが困難になる。その結果、半田付けが困難であるという問題がある。
【００２２】
特許文献５に開示された多周波アンテナでは、同軸ケーブルの外部導体は、グランド板の突出片に接続されている。この突出片は非常に小さいので、グランド板から剥がれてしまう恐れがある。このように、剥離強度が弱いので、アンテナパターンに歪みが発生する恐れがある。
【００２３】
したがって、本発明の課題は、同軸ケーブルの外部導体をグランドパターン部に容易に半田付けすることが可能なアンテナ装置を提供することにある。
【課題を解決するための手段】
【００２４】
本発明によれば、所定の周波数帯の電波を送受信可能なアンテナ装置（１０；１０Ａ）であって、中心導体（２２）と外部導体（２１）とを持つ同軸ケーブル（２０）と、アンテナ素子（３０；３０Ａ）とを有するアンテナ装置（１０；１０Ａ）に於いて、前記アンテナ素子（３０；３０Ａ）は、アンテナパターン部（３２；３２Ａ）とグランドパターン部（３４；３４Ａ）とを有し、前記同軸ケーブル（２０）の中心導体（２２）は前記アンテナパターン部（３２；３２Ａ）の第１の半田付け部分（３２４；３２４Ａ）で半田（５１）付けされて電気的に接続され、前記同軸ケーブル（２０）の外部導体(２１)は前記グランドパターン部（３４；３４Ａ）の第２の半田付け部分（３４４；３４４Ａ）で半田（５２）付けされて電気的に接続され、前記グランドパターン部（３４；３４Ａ）は、前記第２の半田付け部分（３４４；３４４Ａ）の近傍に、当該第２の半田付け部分（３４４；３４４Ａ）を規定するグランドパターン開口部（３４ａ；３４Ａａ）を有し、前記第２の半田付け部分（３４４；３４４Ａ）は、前記第１の半田付け部分（３２４；３２４Ａ）と前記グランドパターン開口部（３４ａ；３４Ａａ）との間に挟まれていることを特徴とする、アンテナ装置（１０；１０Ａ）が得られる。
【００２５】
上記アンテナ装置（１０；１０Ａ）において、前記同軸ケーブル（２０）は、前記グランドパターン部（３２；３２Ａ）上で、前記アンテナパターン部（３２；３２Ａ）の長手方向（Ｙ）と直交する方向（Ｘ）で、かつ前記グランドパターン部（３４；３４Ａ）の一辺に沿って平行に延在するものでよい。前記所定の周波数帯は、例えば、２．４ＧＨｚ帯の周波数であってよい。前記アンテナパターン部（３２；３２Ａ）は、例えば、逆Ｆアンテナから構成されてよい。この場合、前記第１の半田付け部分としての前記逆Ｆアンテナの給電部（３２４；３２４Ａ）に、前記同軸ケーブル(２０)の前記中心導体（２２）が接続される。
【００２６】
本発明の第１の態様による上記アンテナ装置（１０）によれば、前記アンテナパターン部（３２）と前記グランドパターン部(３４)とは、前記基板(３１)の主面（３１ｕ）上に形成された導体箔から構成されている。前記導体箔は、例えば、銅箔から成る。
【００２７】
本発明の第２の態様による上記アンテナ装置（１０Ａ）によれば、前記アンテナ素子（３０Ａ）は金属板から構成されている。前記金属板は、りん青銅から構成されることが好ましい。
【００２８】
上記アンテナ装置（１０；１０Ａ）において、前記グランドパターン開口部（３４ａ；３４Ａａ）は、前記同軸ケーブル（２０）の長手方向（Ｘ）と直交する方向（Ｙ）に長い矩形をしていることが好ましい。前記第２の半田付け部分（３４４；３４４Ａ）の幅（Ｂ）は、前記同軸ケーブル（２０）の露出している前記外部導体（２１）の長さに実質的に等しいことが望ましい。前記グランドパターン開口部（３４ａ；３４Ａａ）の幅（Ａ）は、前記第２の半田付け部分（３４４；３４４Ａ）の幅（Ｂ）より小さく０．２ｍｍ以上の範囲にあることが好ましい。前記グランドパターン開口部（３４ａ；３４Ａａ）の長さは、３．４ｍｍ以上５．４ｍｍ以下の範囲にあることが好ましい。
【００２９】
尚、上記括弧内の符号は、本発明の理解を容易にするために付したものであり、一例にすぎず、これらに限定されないのは勿論である。
【発明の効果】
【００３０】
本発明に係るアンテナ装置では、グランドパターン部に、第２の半田付け部分の近傍に、当該第２の半田付け部分を規定するグランドパターン開口部を形成したので、半田付け時に、第２の半田付け部分から熱が逃げるのを阻止することができる。その結果、同軸ケーブルの外部導体をグランドパターン部に容易に半田付けすることが可能となる。
【図面の簡単な説明】
【００３１】
【図１】本発明の第１の実施の形態に係るアンテナ装置（基板アンテナ）の平面図である。
【図２】図１に示したアンテナ装置（基板アンテナ）の分解平面図である。
【図３】図１の破線円で囲んだアンテナ装置（基板アンテナ）の一部分（主要部）を、拡大して示した図で、（Ａ）は半田付け前の状態を示す要部拡大平面図であり、（Ｂ）および(Ｃ)は、それぞれ、半田付け後の状態を示す要部拡大平面図および要部拡大側面図である。
【図４】本発明の第２の実施の形態に係るアンテナ装置（板金アンテナ）の平面図である。
【図５】図４に示したアンテナ装置（板金アンテナ）の分解平面図である。
【発明を実施するための形態】
【００３２】
以下、図面を参照して、本発明の実施の形態について詳細に説明する。
【００３３】
図１および図２を参照して、本発明の第１の実施の形態に係るアンテナ装置（基板アンテナ）１０について説明する。図１はアンテナ装置（基板アンテナ）１０の平面図である。図２はアンテナ装置（基板アンテナ）１０の分解平面図である。
【００３４】
図１および図２では、直交座標系（Ｘ，Ｙ，Ｚ）を採用している。図１および図２に図示した状態では、Ｘ軸方向は前後方向（奥行き方向）であり、Ｙ軸方向は左右方向（幅方向、横方向）であり、Ｚ軸方向は上下方向（高さ方向）である。
【００３５】
図示のアンテナ装置（基板アンテナ）１０は、所定の周波数帯の電波を送受信するためのものである。図示の例では、所定の周波数帯は、ＩＥＥＥ  ８０２．１１ｂ／ｇで使用される２．４ＧＨｚ帯の周波数である。
【００３６】
図示のアンテナ装置（基板アンテナ）１０は、同軸ケーブル２０とアンテナ素子３０とを有する。
【００３７】
図２に示されるように、同軸ケーブル２０は、円筒状の外部導体２１と、その中央にある中心導体２２とからなる同軸形状の電気信号伝送媒体である。外部導体２１と中心導体２２との間は円筒状の絶縁体２３で絶縁されている。また、外部導体２１はシース（外皮）２４で覆われている。外部導体２１は、アース線や外導体とも呼ばれ、図２に示されるように、網状の導線から成る。中心導体２２は、芯線や内導体とも呼ばれる。
【００３８】
図示の例では、同軸ケーブル２０は０．８ｍｍの直径を有する。また、外部導体２１の外径は、０．６ｍｍである。
【００３９】
図１に示されるように、同軸ケーブル２０は、前後方向（Ｘ軸方向）に延在している。同軸ケーブル２０の先端部は、図２に示されるようにカットされ、中心導体２２、絶縁体２３、および外部導体２１が露出している。
【００４０】
アンテナ素子３０は、主面（表面、上面）３１ｕを持つ平板状のプリント配線基板３１を有する。プリント配線基板３１は、長さ（縦）Ｂ、幅（横）Ｗを持つ矩形板の形状をしている。図示の例では、長さ（縦）Ｂが２４．７ｍｍ、幅（横）Ｗが２２．８ｍｍである。尚、図示の例では、プリント配線基板３１は、その右綿中央部に開口３１ａを持つ。また、プリント配線基板３１には、当該アンテナ装置１０を筐体（図示せず）に取り付けるための一対の取付け用穴３１ｂが穿設されている。
【００４１】
アンテナ素子３０は、プリント配線基板３１の主面３１ｕ上に形成された、アンテナパターン部３２とグランドパターン部３４とを有する。尚、アンテナ素子３０（アンテナパターン部３２およびグランドパターン部３４）は、プリント配線基板３１の主面３１ｕ上に形成されたレジスト膜（図示せず）によって覆われている。グランドパターン部３４は、アンテナパターン部３２に一体形成されている。アンテナパターン部３２とグランドパターン部３４とは、銅箔から成る。図示の例では、アンテナパターン部３２は逆Ｆアンテナから構成されている。逆Ｆアンテナ３２は、Ｌ字形状のＬ型部３２２と、このＬ型部３２２から突出する給電部３２４とを有する。Ｌ型部３２２は、横方向（Ｙ軸方向）に延びる長辺と、前後方向（Ｘ軸方向）に延びる短辺とを有する。
【００４２】
尚、図示の例では、アンテナパターン部３２とグランドパターン部３４とは銅箔から構成されているが、他の導体箔から構成されても良い。
【００４３】
図１に示されるように、同軸ケーブル２０は、グランドパターン部３４上で、アンテナパターン部３２の長手方向（左右方向Ｙ）と直交する方向（前後方向Ｘ）でかつグランドパターン部３４の一辺（左辺）に沿って平行に延在している。
【００４４】
同軸ケーブル２０の中心導体２２は、レジスト膜の第１の削除部５１１から露出したアンテナパターン部（逆Ｆアンテナ）３２の給電部３２４に半田５１付けにより電気的に接続されている。すなわち、給電部３２４は、第１の半田付け部分として働く。
【００４５】
一方、同軸ケーブル２０の外部導体２１は、レジスト膜の第２の削除部５２２から露出したグランドパターン部３４の第２の半田付け部分３４４で半田５２付けにより電気的に接続されている。
【００４６】
本発明の第１の実施の形態では、グランドパターン部３４は、第２の半田付け部分３４４の近傍に、当該第２の半田付け部分３４４の位置を規定する矩形のグランドパターン開口部３４ａを有する。
【００４７】
図３は、図１の破線円で囲んだアンテナ装置（基板アンテナ）１０の一部分（主要部）を、拡大して示した図である。図３において、（Ａ）は半田付け前の状態を示す要部拡大平面図であり、（Ｂ）および(Ｃ)は、それぞれ、半田付け後の状態を示す要部拡大平面図および要部拡大側面図である。
【００４８】
グランドパターン開口部３４ａは、同軸ケーブル２０の外部導体２１を、グランドパターン部３４の第２の半田付け部分３４４で半田５２付けする際に、半田ごて（図示せず）の熱が第２の半田付け部分３４４から逃げるのを防止するためのものである。これにより、第２の半田付け部分３４４の温度を短時間で半田付け温度以上にすることができる。その結果、同軸ケーブル２０の外部導体２１をグランドパターン部３４に容易に半田付けすることが可能となる。
【００４９】
尚、本発明者は、グランドパターン開口部３４ａの有無により、アンテナ装置１０の電気性能に影響が無いことを確認している。
【００５０】
第２の半田付け部分３４４の位置は以下のように規定されている。
【００５１】
第２の半田付け部分３４４は、グランドパターン開口部３４ａとグランドパターン部３４の上端辺３４１との間、つまり図３（Ａ）において幅Ｂで規定される範囲であって、図３（Ａ）において幅Ｃで規定される範囲に配置される。また、給電部３２４とグランドパターン開口部３４ａとは、第２の半田付け部分３４４を介して対向して設けられている。換言すれば、第２の半田付け部分３４４は、第１の半田付け部分（給電部）３２４とグランドパターン開口部３４ａとの間に挟まれている。
【００５２】
図示の例では、グランドパターン開口部３４ａの長さ（左右方向Ｙの長さ）Ｃは３．４ｍｍであり、幅（前後方向Ｘの幅）Ａは１ｍｍである。
【００５３】
また、第２の半田付け部分３４４の幅Ｂは、同軸ケーブル２０の露出した外部導体２１の長さと実質的に同一の長さを有する。図示の例では、幅Ｂは１．５ｍｍである。この幅Ｂは、半田５２付け強度を確保する程度の寸法であれば良い。
【００５４】
一方、グランドパターン開口部３４ａの幅Ａは、半田５２付け時の熱遮断に必要な幅があれば良い。また、アンテナ特性を良くするために、この寸法Ａは極力小さいことが好ましい。したがって、０．２ｍｍ≦Ａ＜Ｂであることが好ましい。
【００５５】
グランドパターン開口部３４ａの長さＣに関しては、その長さＣを右方向に長くすればする程、半田５２付け時間を短くすることが可能となる。それは、第２の半田付け部分３４４から熱が逃げるのを抑えることができるからである。逆に、長さＣを延長し過ぎると、電気的特性に悪影響を与えてしまう。したがって、３．４ｍｍ≦Ｃ≦５．４ｍｍの範囲であることが好ましい。
【００５６】
図４および図５を参照して、本発明の第２の実施の形態に係るアンテナ装置（板金アンテナ）１０Ａについて説明する。図４はアンテナ装置（板金アンテナ）１０Ａの平面図である。図５（ａ）および（ｂ）は、それぞれ、図４の破線円で囲んだアンテナ装置（板金アンテナ）１０Ａの一部分（主要部）を、拡大して示した要部拡大平面図および要部拡大側面図である。
【００５７】
図４および図５では、直交座標系（Ｘ，Ｙ，Ｚ）を採用している。図４および図５に図示した状態では、Ｘ軸方向は前後方向（奥行き方向）であり、Ｙ軸方向は左右方向（幅方向、横方向）であり、Ｚ軸方向は上下方向（高さ方向）である。
【００５８】
図示のアンテナ装置（板金アンテナ）１０Ａは、アンテナ素子の構成が、図１および図２に示したものと相違する点を除いて、図１および図２に示したアンテナ装置（基板アンテナ）１０と同様の構成を有する。従って、アンテナ素子に３０Ａの参照符号を付してある。図１および図２に示された構成要素と同様の機能の有するものには同一の参照符号を付し、以下では、説明を簡略化するために相違点についてのみ詳細に説明する。
【００５９】
図示のアンテナ装置（板金アンテナ）１０Ａは、所定の周波数帯の電波を送受信するためのものである。図示の例では、所定の周波数帯は、ＩＥＥＥ  ８０２．１１ｂ／ｇで使用される２．４ＧＨｚ帯の周波数である。
【００６０】
アンテナ素子３０Ａは、主面（表面、上面）３０Ａｕを持つ平板状の金属板をプレス加工することによって形成される。図示の例では、金属板は、メッキ処理が施されていない、りん青銅から成る。
【００６１】
尚、図示の例では、金属板の材料としてりん青銅を使用しているが、金属板の材用はこれに限定されない。
【００６２】
アンテナ素子３０Ａは、アンテナパターン部３２Ａと、このアンテナパターン部３２Ａに一体形成されたグランドパターン部３４Ａとを有する。図示の例では、アンテナパターン部３２Ａは逆Ｆアンテナから構成されている。逆Ｆアンテナ３２Ａは、Ｌ字形状のＬ型部３２２Ａと、このＬ型部３２２Ａから突出する給電部３２４Ａとを有する。Ｌ型部３２２Ａは、横方向（Ｙ軸方向）に延びる長辺と、前後方向（Ｘ軸方向）に延びる短辺とを有する。グランドパターン部３４Ａは、実質的に矩形形状をしているが、右側上部に開口３４Ａｂを持つ。また、グランドパターン部３４Ａには、当該アンテナ装置１０Ａを筐体（図示せず）に取り付けるための一対の取付け用穴３４Ａｃが穿設されている。
【００６３】
図４に示されるように、同軸ケーブル２０は、グランドパターン部３４Ａ上で、アンテナパターン部３２Ａの長手方向（左右方向Ｙ）と直交する方向（前後方向Ｘ）でかつグランドパターン部３４Ａの一辺（左辺）に沿って平行に延在している。
【００６４】
同軸ケーブル２０の中心導体２２は、アンテナパターン部（逆Ｆアンテナ）３２Ａの給電部３２４Ａに半田５１付けにより電気的に接続されている。すなわち、給電部３２４Ａは、第１の半田付け部分として働く。
【００６５】
一方、同軸ケーブル２０の外部導体２１は、グランドパターン部３４Ａの第２の半田付け部分３４４Ａで半田５２付けにより電気的に接続されている。
【００６６】
本発明の第２の実施の形態では、グランドパターン部３４Ａは、第２の半田付け部分３４４Ａの近傍に、当該第２の半田付け部分３４４Ａを規定する矩形のグランドパターン開口部３４Ａａを有する。第２の半田付け部分３４４Ａは、第１の半田付け部分（給電部）３２４Ａとグランドパターン開口部３４Ａａとの間に挟まれている。
【００６７】
グランドパターン開口部３４Ａａは、同軸ケーブル２０の外部導体２１を、グランドパターン部３４Ａの第２の半田付け部分３４４Ａで半田５２付けする際に、半田ごて（図示せず）の熱が第２の半田付け部分３４４Ａから逃げるのを防止するためのものである。これにより、第２の半田付け部分３４４Ａの温度を短時間で半田付け温度以上に上昇させることができる。その結果、同軸ケーブル２０の外部導体２１をグランドパターン部３４Ａに容易に半田付けすることが可能となる。
【００６８】
尚、本発明者は、グランドパターン開口部３４Ａａの有無により、アンテナ装置１０Ａの電気性能に影響が無いことを確認している。
【００６９】
第２の半田付け部分３４４Ａの幅は、図３を参照して説明した、第２の半田付け部分３４４の幅と同様の寸法を有する。また、グランドパターン開口部３４Ａａの長さおよび幅も、図３を参照して説明した、グランドパターン開口部３４ａの長さ及び幅と同様の寸法を有する。
【００７０】
以上、本発明について好ましい実施の形態によって説明してきたが、本発明は上述した実施の形態に限定しないのは勿論である。例えば、アンテナパターン部は、上述した実施の形態の逆Ｆアンテナに限定されず、種々の形状のアンテナパターン部を採用してもよいのは勿論である。また、上述した実施の形態では、グランドパターン開口部は矩形をしているが、これに限定されず、グランドパターン開口部は任意の形状をしていて良い。
【符号の説明】
【００７１】
１０    アンテナ装置（基板アンテナ）
１０Ａ    アンテナ装置（板金アンテナ）
２０    同軸ケーブル（給電線）
２１    外部導体
２２    中心導体
２３    絶縁体
２４    シース（外皮）
３０、３０Ａ    アンテナ素子
３０Ａｕ    主面（上面、表面）
３１    プリント配線基板
３１ｕ    主面（上面、表面）
３２、３２Ａ    アンテナパターン部
３２２、３２２Ａ    Ｌ型部
３２４、３２４Ａ    給電部（第１の半田付け部分）
３４、３４Ａ    グランドパターン部
３４１    上端辺
３４４、３４４Ａ    第２の半田付け部分
３４ａ、３４Ａａ    グランドパターン開口部
５１、５２    半田
５１１、５２２    レジスト膜の削除部
Ａ    グランドパターン開口部の幅
Ｂ    第２の半田付け部分の幅
Ｃ    グランドパターン開口部の長さ
【図１】
2011019178.tif 000003
【図２】
2011019178.tif 000004
【図３】
2011019178.tif 000005
【図４】
2011019178.tif 000006
【図５】
2011019178.tif 000007